(57)【要約】      （修正有）【課題】ロールスクリーン装置のスクリーンの側縁部の移動を案内するインナレールを押し出し成形によって形成する場合において、溝幅寸法の小さなスクリーン案内溝が得られるようにする。【解決手段】スクリーンの両側縁部の移動を案内するインナレール２３を、押し出し成形されるレール本体２４と、スライド部材２５の組み合わせとする。レール本体２４は、基板部２６の片面に断面Ｌ形のガイド片部２７と、スライド案内溝２８とを設けた構成とし、一方、スライド部材２５は、ベース板部２９の片面に断面Ｌ形のガイド片部３０を設けた構成とする。ベース板部２９をスライド案内溝２８内に嵌合し、レール本体２４のガイド片部２７とスライド部材２５のガイド片部３０を対向させ、その対向するガイド片部２７、３０間に、スクリーンの側縁部に設けられたガイド突条１３をスライド自在に案内するガイド溝３１案内溝３２が形成されるようにする。【選択図】図５
2013023843.tif 000002
【特許請求の範囲】
【請求項１】
巻取軸の一方向の回転によってその外周に巻き取られるスクリーンの両側縁部に渦巻き状に巻取り可能なガイド突条を設け、前記巻取軸から巻き戻されるスクリーンの両側縁部の移動を案内する一対の固定のガイドレールの内側に押し出し成形品からなるインナレールを組込み、そのインナレールによって前記ガイド突条をスライド自在に案内し、前記インナレールを弾性部材により外側方に向けて押圧して、前記スクリーンに幅方向のテンションを付与するようにしたロールスクリーン装置において、
前記インナレールが、レール本体と、そのレール本体にスライド自在に設けられるスライド部材とからなり、
前記レール本体が、基板部と、その基板部の片面に設けられて基板部の長さ方向に延び断面Ｌ形のガイド片部とを有し、前記基板部にはガイド片部の形成面に基板部の長さ方向に延びるスライド案内溝が形成され、
前記スライド部材が、前記スライド案内溝にスライド自在に嵌合されたベース板部と、そのベース板部の片面に形成されて前記レール本体のガイド片部と対向し、その対向部間に前記ガイド突条を抜止め状態でスライド自在に案内するガイド溝およびそのガイド溝に連通してスクリーンの両側縁部を案内するスクリーン案内溝を形成する断面Ｌ形のガイド片部を有してなり、前記レール本体およびスライド部材のそれぞれを押し出し成形品としたことを特徴とするロールスクリーン装置。
【発明の詳細な説明】
【技術分野】
【０００１】
この発明は、建物の採光部や開口部等を開閉する際に用いられるロールスクリーン装置に関する。
【背景技術】
【０００２】
この種のロールスクリーン装置として特許文献１に記載されたものが従来から知られている。このロールスクリーン装置においては、巻取軸によってスクリーンを巻き取り、その巻取軸から引き出されたスクリーンの両側縁部の移動を案内する対向一対のガイドレールのそれぞれ内部にインナレールを組込み、そのインナレールに上記スクリーンの両側縁部に沿って設けられた渦巻き状に巻取り可能なガイド突条が移動自在に挿入されるガイド溝を設け、そのガイド溝の開口端部にガイド突条を抜止め状態で摺動案内する対向一対の案内フランジを形成し、その一対の案内フランジの対向部間にスクリーンの両側部をスライド自在に案内するスクリーン案内溝を形成している。
【０００３】
上記のようなロールスクリーン装置においては、普通、スクリーンの側縁部にスライドファスナにおけるファスナテープを重ね合わせて高周波ウェルダにより固着し、そのファスナテープの一側縁に沿って設けられたファスナエレメントをガイド突条としている。
【先行技術文献】
【特許文献】
【０００４】
【特許文献１】特開２００１−１０７６６６号公報
【発明の概要】
【発明が解決しようとする課題】
【０００５】
ところで、上記従来のロールスクリーン装置においては、インナレールをアルミや樹脂の押し出し成形品としているが、対向一対の案内フランジ間に形成されるスクリーン案内溝の溝幅寸法が大きくなり過ぎると、ガイド突条が抜け出してスライド案内することができなくなるため、溝幅寸法の小さなスクリーン案内溝が要求される。この時、押し出し成形型では、スクリーン案内溝の成形部が薄肉厚の帯状板とされるため、その成形部は強度的に弱く、インナレール成形時の成形圧によってその帯状板が変形し、あるいは、破損する可能性がある。このため、案内溝成形部は極端に薄肉の帯状板とすることができず、溝幅寸法の小さなスクリーン案内溝を成形することができないという問題があった。
【０００６】
また、インナレールの押し出し成形長さも短く、長さの長いインナレールが必要とされる場合は、そのインナレールの端面を突き合わせてジョイントする必要があり、そのジョイントもきわめて困難であった。
【０００７】
この発明の課題は、押し出し成形品からなるインナレールに溝幅寸法の小さなスクリーン案内溝が得られるようにすること、および、インナレールを長さ方向に簡単にジョイントできるようにすることである。
【課題を解決するための手段】
【０００８】
上記の課題を解決するため、この発明においては、巻取軸の一方向の回転によってその外周に巻き取られるスクリーンの両側縁部に渦巻き状に巻取り可能なガイド突条を設け、前記巻取軸から巻き戻されるスクリーンの両側縁部の移動を案内する一対の固定のガイドレールの内側に押し出し成形品からなるインナレールを組込み、そのインナレールによって前記ガイド突条をスライド自在に案内し、前記インナレールを弾性部材により外側方に向けて押圧して、前記スクリーンに幅方向のテンションを付与するようにしたロールスクリーン装置において、前記インナレールが、レール本体と、そのレール本体にスライド自在に設けられるスライド部材とからなり、前記レール本体が、基板部と、その基板部の片面に設けられて基板部の長さ方向に延び断面Ｌ形のガイド片部とを有し、前記基板部にはガイド片部の形成面に基板部の長さ方向に延びるスライド案内溝が形成され、前記スライド部材が、前記スライド案内溝にスライド自在に嵌合されたベース板部と、そのベース板部の片面に形成されて前記レール本体のガイド片部と対向し、その対向部間に前記ガイド突条を抜止め状態でスライド自在に案内するガイド溝およびそのガイド溝に連通してスクリーンの両側縁部を案内するスクリーン案内溝を形成する断面Ｌ形のガイド片部を有してなり、前記レール本体およびスライド部材のそれぞれを押し出し成形品とした構成を採用したのである。
【０００９】
上記のように、レール本体を基板部の片面に断面Ｌ形のガイド片部を設けた構成とし、スライド部材をベース板部の片面に断面Ｌ形のガイド片部を設けた構成として、そのスライド部材のベース板部をレール本体の基板部に形成されたスライド案内溝内にスライド自在に嵌合してインナレールを組み立てることにより、単純な構造の強度の強い押し出し成形型によってレール本体およびスライド部材のそれぞれを精度よく成形することができる。
【００１０】
その結果、レール本体の基板部に形成されたスライド案内溝内にスライド部材のベース板部をスライド自在に嵌合してインナレールを組み立てることにより、溝幅寸法のきわめて小さなスクリーン案内溝を形成することができる。
【発明の効果】
【００１１】
この発明においては、上記のように、単純な構造の強度の強い押し出し成形型によってレール本体およびスライド部材のそれぞれを精度よく押し出し成形することができるため、レール本体の基板部に形成されたスライド案内溝内にスライド部材のベース板部をスライド自在に嵌合してインナレールを形成することによって、溝幅寸法の小さなスクリーン案内溝を形成することができる。
【００１２】
また、一対のレール本体の端面を突き合わせ、その一対のレール本体のそれぞれに形成されたスライド案内溝に跨るようにしてスライド部材のベース板部を嵌合することによって、一対のレール本体を簡単にジョイントすることができ、長さの長いインナレールを簡単に形成することができる。
【図面の簡単な説明】
【００１３】
【図１】この発明に係るロールスクリーン装置の実施の形態を示す正面図
【図２】図１のII−II線に沿った断面図
【図３】図１のIII−III線に沿った断面図
【図４】図１の巻取軸の組込み部を示す一部切欠断面図
【図５】図３の一部分を拡大して示す断面図
【図６】インナレールの一部分を示す斜視図
【発明を実施するための形態】
【００１４】
以下、この発明の実施形態を図面に基づいて説明する。図１乃至図４に示すように、角筒状をなすスクリーン収納ボックス１の底板２には左右両端方向に長く延びる引出し口３が設けられている。
【００１５】
スクリーン収納ボックス１の内部には巻取軸１０が組込まれている。巻取軸１０にはスクリーン１１の一端部が連結されている。スクリーン１１は巻取軸１０の回転によって巻取り、巻き戻しされる。その巻き戻しの際に、スクリーン１１はスクリーン収納ボックス１の底板２に形成された上記引出し口３から下方に向けて引き出され、その下端にはスクリーン１１の長さ方向に張力を付与するウェイトバー１２が設けられている。
【００１６】
また、スクリーン１１の両側縁部には、ガイド突条１３が設けられている。ガイド突条１３は、スライドファスナのファスナテープ１４の側縁部に取付けられたファスナエレメントからなり、そのファスナエレメントが設けられたファスナテープ１４がスクリーン１１の側縁部に重ね合わされて固着一体化されている。
【００１７】
ここで、巻取軸１０は、その内部に組み込まれたモータ５によって回転駆動されるようになっているが、ウェイトバー１２の引き下げ操作によるスクリーン１１の引き出しによって巻取軸を巻き戻し方向に回転させ、巻取軸の内部に組み込まれた巻きばねにねじり変形を生じさせ、その巻きばねの復元弾性によって巻取軸を巻取り方向に回転させるようにしてもよい。
【００１８】
図１および図２に示すように、スクリーン収納ボックス１の下面両端部には、対向配置されて上下方向に長く延びる一対のガイドレール２０のそれぞれ上端部が連結されている。
【００１９】
図３に示すように、ガイドレール２０には、その対向面において開口する挿入溝２１と、その挿入溝２１に連通するレール収納空間２２とが形成されている。挿入溝２１およびレール収納空間２２のそれぞれはガイドレール２０の長さ方向（上下方向）に長く延び、上記挿入溝２１の上端開口がスクリーン収納ボックス１の引出し口３の両端と対向し、その挿入溝２１内にウェイトバー１２の両端部がスライド自在に嵌合されている。
【００２０】
レール収納空間２２の内部にはインナレール２３が組込まれ、そのインナレール２３の長さはガイドレール２０とほぼ同じ長さとされている。図５および図６に示すように、インナレール２３は、レール本体２４と、スライド部材２５とからなる。
【００２１】
レール本体２４は、基板部２６の片面に、その基板部２６の長さ方向に延びる断面Ｌ形のガイド片部２７と、そのガイド片部２７の一側部にスライド案内溝２８とを設け、そのスライド案内溝２８の開口部に対向一対の抜止め突条２８ａを形成した構成とされて、アルミの押し出しによる成形品とされている。
【００２２】
一方、スライド部材２５は、レール本体２４のスライド案内溝２８に沿ってスライド可能なベース板部２９の片面に断面Ｌ形のガイド片部３０を設けた構成とされて、アルミの押し出しによる成形品とされている。
【００２３】
レール本体２４とスライド部材２５は、レール本体２４のスライド案内溝２８にスライド部材２５のベース板部２９をスライド自在に嵌合する組み合わせとされてインナレール２３を形成する。そのインナレール２３の形成状態で、レール本体２４のガイド片部２７とスライド部材２５のガイド片部３０は対向して、その対向部間にガイド溝３１およびそのガイド溝３１に連通するスクリーン案内溝３２を形成し、上記ガイド溝３１はガイド突条１３を抜止め状態でスライド自在に案内するようになっている。また、スクリーン案内溝３２は、ファスナテープ１４をスライド自在に案内するようになっている。
【００２４】
実施の形態では、レール本体２４およびスライド部材２５のそれぞれをアルミの押し出し成形品としているが、樹脂の押し出し成形品としてもよい。
【００２５】
図３および図５に示すように、ガイドレール２０の内部にはスポンジ等からなる弾性部材３３が組み込まれている。弾性部材３３はインナレール２３を外側方に向けて付勢してスクリーン１１に幅方向のテンションを付与している。
【００２６】
実施の形態で示すロールスクリーン装置は上記の構造からなり、モータ５の駆動によって巻取軸１０を図２の矢印で示す方向に回転すると、その巻取軸１０からスクリーン１１が繰り出される。また、上記矢印で示す方向と反対の方向に巻取軸１０を回転すると、その巻取軸１０によってスクリーン１１が巻き取られ、いずれの場合も、スクリーン１１の両側縁部に設けられたガイド突条１３がインナレール２３のガイド溝３１によってスライド自在に案内される。また、スクリーン１１の両側のファスナテープ１４はスクリーン案内溝３２によってスライド自在に案内される。
【００２７】
ここで、スクリーン１１の両側のファスナテープ１４をスライド自在に案内するインナレール２３は、レール本体２４とスライド部材２５とで形成され、そのレール本体２４は基板部２６の片面に断面Ｌ形のガイド片部２７を設けた構成とされ、一方、スライド部材２５はベース板部２９の片面に断面Ｌ形のガイド片部３０を設けた構成とされているため、レール本体２４およびスライド部材２５のそれぞれは単純な構造の強度の強い押し出し成形型によって精度よく成形することができる。
【００２８】
その結果、レール本体２４の基板部２６に形成されたスライド案内溝２８内にスライド部材２５のベース板部２９をスライド自在に嵌合してインナレール２３を組み立てることにより、対向するガイド片部２７、３０の対向部間にガイド突条１３を完全に抜止めする状態で確実にスライド案内する溝幅寸法のきわめて小さなスクリーン案内溝３２の形成を可能とすることができる。
【００２９】
また、スライド部材２５のベース板部２９をレール本体２４の基板部２６に形成されたスライド案内溝２８内にスライド自在に嵌合してインナレール２３を形成することにより、一対のレール本体２４の端面を突き合わせ、その一対のレール本体２４のそれぞれに形成されたスライド案内溝２８に跨るようにしてスライド部材２５のベース板部２９を嵌合することにより、一対のレール本体２４を簡単にジョイントすることができ、長さの長いインナレール２３を簡単に形成することができる。
【符号の説明】
【００３０】
１０    巻取軸
１１    スクリーン
１３    ガイド突条
２０    ガイドレール
２３    インナレール
２４    レール本体
２５    スライド部材
２６    基板部
２７    ガイド片部
２８    スライド案内溝
２９    ベース板部
３０    ガイド片部
３１    ガイド溝
３２    スクリーン案内溝
３３    弾性部材
【図１】
2013023843.tif 000003
【図２】
2013023843.tif 000004
【図３】
2013023843.tif 000005
【図４】
2013023843.tif 000006
【図５】
2013023843.tif 000007
【図６】
2013023843.tif 000008